(57)【要約】  浴室環境調整装置（１００）は、風発生装置（２１０）と、外装部材（１０１）と、開閉部材（１０２）と、霧発生装置（１）とを備える。風発生装置（２１０）は風を発生させる。外装部材（１０１）は、風を送出する第１開口（１０４）及び第２開口（１０５）を有する。開閉部材（１０２）は、第１開口（１０４）に対して開閉自在であり、閉状態の際に第１開口（１０４）を覆う。霧発生装置（１）は除菌液の霧を発生させる。霧発生装置（１）は、第２開口（１０５）に対応して配置される。開閉部材（１０２）が閉状態の際に、風発生装置（２１０）が発生させた風が、第２開口（１０５）へ向かう。第２開口（１０５）へ向かう風によって、除菌液の霧が送風される。
2019116596.tif 000002
【特許請求の範囲】
【請求項１】
風を発生させる風発生装置と、
前記風を送出する第１開口及び第２開口を有する外装部材と、
前記第１開口に対して開閉自在であり、閉状態の際に前記第１開口を覆う開閉部材と、
除菌液の霧を発生させる霧発生装置と
を備え、
前記霧発生装置は、前記第２開口に対応して配置され、
前記開閉部材が閉状態の際に前記第２開口へ向かう前記風によって、前記除菌液の霧を送風する、浴室環境調整装置。
【請求項２】
前記霧発生装置は、前記除菌液の霧を、水平方向、又は斜め上方向に送るガイド面を備え、
前記ガイド面は、前記外装部材の外側に配置され、
前記ガイド面と前記外装部材との間に、前記除菌液の霧が流れ出る隙間が形成される、請求項１に記載の浴室環境調整装置。
【請求項３】
前記霧発生装置は、
前記ガイド面を形成するガイド部材と、
前記ガイド部材を着脱可能に支持する支持部と
を備える、請求項２に記載の浴室環境調整装置。
【請求項４】
前記霧発生装置は、
溶媒を収容する収容部と、
前記溶媒に浸漬された電極対と
を備え、
前記除菌液は、前記溶媒と、前記溶媒に混合された除菌成分とを含み、
前記電極対に電圧が印加されることにより、前記溶媒内に前記除菌成分が生成される、請求項１から請求項３のいずれか１項に記載の浴室環境調整装置。
【請求項５】
前記霧発生装置は、前記除菌液に超音波振動を与えて前記除菌液の霧を発生させる超音波発生素子を備える、請求項４に記載の浴室環境調整装置。
【請求項６】
前記電極対は、２つの電極を含み、
前記超音波発生素子は、前記２つの電極間の前記除菌液に前記超音波振動を与える、請求項５に記載の浴室環境調整装置。
【請求項７】
前記超音波発生素子は、超音波振動を水に与えて、前記水の霧を発生させ、
前記開閉部材が閉状態の際に前記第２開口へ向かう前記風によって、前記水の霧が送風される、請求項５又は請求項６に記載の浴室環境調整装置。
【発明の詳細な説明】
【技術分野】
【０００１】
本発明は、浴室環境調整装置に関する。
【背景技術】
【０００２】
浴室に除菌液を散布して浴室を除菌する装置が特許文献１に開示されている。詳しくは、特許文献１には、浴室の天井に設置されたノズルから、除菌液の霧を、浴室の特定の部位に向けて噴出するミスト発生装置が開示されている。具体的には、特許文献１のミスト発生装置では、ノズルが、浴槽に向けて除菌液の霧を噴出する。また、特許文献１のミスト発生装置は、ノズルから噴出させた除菌液の霧を、プロペラファンによって、浴室の天井面から下方に向けて吹き出す。【０００３】
また、特許文献１には、浴室の暖房、換気等を行う浴室空調装置が記載されている。特許文献１の浴室空調装置では、ファンが回転することにより、浴室から吸込口を通って侵入した空気がヒータ部によって温められ、温められた温風が吹出口から浴室に吹き出る。
【先行技術文献】
【特許文献】
【０００４】
【特許文献１】特開２００７−０６４５６６号公報
【発明の概要】
【発明が解決しようとする課題】
【０００５】
しかしながら、特許文献１の構成では、ミスト発生装置及び浴室空調装置のそれぞれにファンを設ける必要があった。【０００６】
本発明は上記課題に鑑みてなされたものであり、その目的は、風発生装置において発生させた風を除菌液の霧の送風に用いるとともに除菌液の霧の送風以外の用途にも切り替え可能な浴室環境調整装置を提供することにある。
【課題を解決するための手段】
【０００７】
本発明に係る浴室環境調整装置は、風発生装置と、外装部材と、開閉部材と、霧発生装置とを備える。前記風発生装置は風を発生させる。前記外装部材は前記風を送出する第１開口及び第２開口を有する。前記開閉部材は、前記第１開口に対して開閉自在であり、閉状態の際に前記第１開口を覆う。前記霧発生装置は除菌液の霧を発生させる。前記霧発生装置は、前記第２開口に対応して配置される。前記開閉部材が閉状態の際に前記第２開口へ向かう前記風によって、前記除菌液の霧を送風する。
【発明の効果】
【０００８】
本発明によれば、風発生装置において発生させた風を除菌液の霧の送風に用いるとともに除菌液の霧の送風以外の用途にも切り替えることができる。
【図面の簡単な説明】
【０００９】
【図１】本発明の実施形態１に係る浴室環境調整装置の底面図である。
【図２】本発明の実施形態１に係る浴室環境調整装置の構成を示す図である。
【図３】本発明の実施形態１に係る本体ユニットの一部を拡大して示す図である。
【図４】本発明の実施形態１に係る浴室環境調整装置の風路を示す図である。
【図５】本発明の実施形態１に係る除菌液散布装置の上面図である。
【図６】本発明の実施形態１に係る除菌液散布装置の断面図である。
【図７】本発明の実施形態１に係る除菌液の霧の流れを示す図である。
【図８】（ａ）は、本発明の実施形態１に係る第２ユニットの上面図である。（ｂ）は、本発明の実施形態１に係る第２ユニットの底面図である。
【図９】本発明の実施形態１に係る除菌液散布装置の断面図である。
【図１０】本発明の実施形態１に係る第２ユニットが第１ユニットから分離した状態を示す図である。
【図１１】本発明の実施形態１に係る浴室環境調整装置のブロック図である。
【図１２】本発明の実施形態１に係る制御装置が実行する処理を示すフローチャートである。
【図１３】本発明の実施形態１に係る制御装置が実行する処理の他例を示すフローチャートである。
【図１４】（ａ）は、銀イオン濃度の時間変化を示すグラフである。（ｂ）は、銀イオンの除菌効果を示すグラフである。
【図１５】（ａ）は、本発明の実施形態１に係る除菌液散布装置の変形例を示す図である。（ｂ）は、本発明の実施形態１に係る除菌液散布装置の他の変形例を示す図である。
【図１６】本発明の実施形態２に係る除菌液散布装置の断面図である。
【図１７】本発明の実施形態３に係る除菌液散布装置の正面図である。
【図１８】本発明の実施形態３に係る除菌液散布装置の断面図である。
【図１９】本発明の他の実施形態に係る除菌液散布装置の断面図である。
【図２０】本発明の更なる他の実施形態に係る除菌液散布装置の断面図である。
【図２１】本発明の更なる他の実施形態に係る浴室環境調整装置の風路を示す図である。
【図２２】（ａ）は、本発明の更なる他の実施形態に係る浴室環境調整装置の風路を示す図であり、（ｂ）は除菌液散布装置の上面図である。
【発明を実施するための形態】
【００１０】
以下、図面を参照して本発明の実施形態を説明する。但し、本発明は以下の実施形態に限定されるものではない。なお、図中、同一又は相当部分については同一の参照符号を付して説明を繰り返さない。また、説明が重複する箇所についても適宜説明を省略する場合がある。
【００１１】
［実施形態１］
図１は、実施形態１に係る浴室環境調整装置１００の底面図である。浴室環境調整装置１００は、浴室の天井部に設置される。図１に示すように、浴室環境調整装置１００は除菌液散布装置１を備える。また、浴室環境調整装置１００は、パネル１０１と、可動風向板１０２と、ミストノズル２０３とを備える。ミストノズル２０３については図２を参照して後述する。本実施形態において、浴室環境調整装置１００は、ミストサウナ付きの浴室暖房乾燥装置である。
【００１２】
パネル１０１は、浴室の天井面から露出する。パネル１０１には、吸込み口１０３及び吹出し口１０４（第１開口）が形成されている。吹出し口１０４は横長矩形状に形成されている。パネル１０１には更に、吹き出し口１０５（第２開口）が形成されている。除菌液散布装置１は、パネル１０１の吹き出し口１０５に対応する位置に配置される。除菌液散布装置１は、除菌液の霧を発生させる霧発生装置である。除菌液散布装置１の構成については後述する。
【００１３】
可動風向板１０２は、吹出し口１０４（第１開口）に設けられる。可動風向板１０２は、吹出し口１０４に対応する形状を有する。可動風向板１０２は、吹出し口１０４に対して開閉自在である。本実施形態において、可動風向板１０２は回動自在であり、可動風向板１０２が回動することにより、吹出し口１０４から送出される風の送風方向を変更することができる。また、可動風向板１０２は、浴室環境調整装置１００が暖房運転、乾燥運転及びミストサウナ運転を停止している際に吹出し口１０４を閉塞し（覆い）、浴室環境調整装置１００が暖房運転、乾燥運転、又はミストサウナ運転を実行している際に吹出し口１０４を開放する。また、可動風向板１０２は、除菌液散布装置１が除菌運転している際に吹出し口１０４を閉塞する（覆う）。なお、図１は、可動風向板１０２が吹出し口１０４を閉塞している状態を示している。
【００１４】
続いて図２を参照して、浴室環境調整装置１００（ミストサウナ付きの浴室暖房乾燥装置）の構成について説明する。図２は、実施形態１に係る浴室環境調整装置１００の構成を示す図である。
【００１５】
図２に示すように、浴室環境調整装置１００は、本体ユニット２００と、熱源機３００とを備える。本体ユニット２００は浴室の天井部に設置される。熱源機３００は屋外に設置される。なお、図１を参照して説明したパネル１０１は、本体ユニット２００の外装部材として、本体ユニット２００に装着される。
【００１６】
熱源機３００は、暖房用の熱媒、及び給湯用水を加熱する。熱源機３００は、暖房用の熱媒を循環させる循環ポンプを備える。暖房用の熱媒は、例えば温水又は不凍液である。熱源機３００は供給路３０１に接続し、供給路３０１から供給される給湯用水を加熱する。
【００１７】
本体ユニット２００は、温水循環流路２０１と、ミスト用通水路２０２と、ミストノズル２０３と、暖房用熱交換器２０４と、ミスト用熱交換器２０５と、駆動装置２０６と、送風装置２１０と、制御装置２２０と、除菌液散布装置１とを備える。
【００１８】
温水循環流路２０１は、暖房用の熱媒を本体ユニット２００と熱源機３００との間で循環させる。具体的には、熱源機３００が備える循環ポンプが作動することにより、熱源機３００から流れ出た熱媒が温水循環流路２０１を流れる。詳しくは、熱媒は、暖房用熱交換器２０４及びミスト用熱交換器２０５をこの順に経由して、熱源機３００に戻る。
【００１９】
ミスト用通水路２０２は、供給路３０１から分岐する通水路であり、ミスト用の水を通水する。ミスト用通水路２０２は、ミスト用熱交換器２０５を経由してミストノズル２０３に至るように配設されている。ミストノズル２０３は、ミスト用通水路２０２から供給される水をミスト化して浴室に噴霧する。
【００２０】
本実施形態において、除菌液散布装置１の供給管１３は、供給路３０１から分岐する通水路であり、調整弁１５が開くことにより、供給路３０１から除菌液散布装置１の供給管１３に水が流入する。なお、供給路３０１から除菌液散布装置１の供給管１３に水を流入させる際には、ミスト用通水路２０２が水を通水しないように、ミスト用通水路２０２に設けられた電磁弁を閉める。
【００２１】
暖房用熱交換器２０４は、可動風向板１０２及び除菌液散布装置１に対向する。暖房用熱交換器２０４は、図１を参照して説明した吸込み口１０３から吸い込まれた空気を温風に変換する。ミスト用熱交換器２０５は、ミスト用通水路２０２を流れる水を温水に変換する。
【００２２】
駆動装置２０６は、可動風向板１０２を所定の回転角度範囲内で回動させる。駆動装置２０６は、例えば電動モータである。駆動装置２０６が可動風向板１０２を回動させることにより、可動風向板１０２の姿勢が、図１を参照して説明した吹出し口１０４を閉塞する姿勢から、吹出し口１０４を開く姿勢に変化する。また、可動風向板１０２の回転角度に応じて、浴室に供給される温風の送風方向が変化する。
【００２３】
送風装置２１０は、風を発生させる風発生装置である。送風装置２１０は、回転ファン２１１と、ファンモータ２１２とを備える。ファンモータ２１２は、回転ファン２１１を回転させる。回転ファン２１１は、例えばシロッコファンである。
【００２４】
回転ファン２１１が回転することにより、図１を参照して説明した吸込み口１０３から空気が吸い込まれる。吸込み口１０３から吸い込まれた空気は、図１を参照して説明した吹出し口１０４を可動風向板１０２が開放している場合、回転ファン２１１の回転により、暖房用熱交換器２０４を介して吹出し口１０４から吹き出す。一方、可動風向板１０２が、図１を参照して説明した吹出し口１０４を閉塞している場合、吸込み口１０３から吸い込まれた空気は、回転ファン２１１の回転により、暖房用熱交換器２０４を介して、図１を参照して説明した吹き出し口１０５（第２開口）に向けて流れる。換言すると、除菌液散布装置１に向けて空気が流れる。
【００２５】
制御装置２２０は、浴室環境調整装置１００の運転制御を行う。具体的には、浴室環境調整装置１００の暖房動作、乾燥動作、及びミストサウナ動作を制御する。更に、制御装置２２０は、除菌液散布装置１の除菌動作を制御する。
【００２６】
制御装置２２０は、プロセッサ、及び半導体メモリーを備える。プロセッサは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。制御装置２２０は、半導体メモリーとして、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を備える。プロセッサは、半導体メモリーに記憶された制御プログラム（コンピュータプログラム）に従って、各種の処理を実行する。
【００２７】
続いて図３を参照して、本体ユニット２００について更に説明する。図３は、本体ユニット２００の一部を拡大して示す図である。図３に示すように、本体ユニット２００は、ホルダー２３０を更に備える。
【００２８】
ホルダー２３０は、可動風向板１０２を回動可能に支持する。具体的には、可動風向板１０２は２つの回転軸１０２ａを備え、ホルダー２３０は２つの回転軸１０２ａを回動可能に支持する。２つの回転軸１０２ａの一方は、駆動装置２０６の出力軸と接続している。また、ホルダー２３０は除菌液散布装置１を支持する。具体的には、除菌液散布装置１が備える第１ユニット１０の本体部１２１を支持する。
【００２９】
続いて図３を参照して、実施形態１に係る除菌液散布装置１について説明する。図３に示すように、本体部１２１の蓋体１２１ａは、開口１２５を有する。本実施形態では、除菌液の霧の送風に、図２を参照して説明した浴室環境調整装置１００の送風装置２１０が利用される。
【００３０】
続いて図４を参照して、本体ユニット２００について更に説明する。図４は、浴室環境調整装置１００の風路を示す図である。図４に示すように、本体ユニット２００は、固定風向板２０７を更に備える。固定風向板２０７は、暖房用熱交換器２０４から流れ出た風の向きを所定の方向（本実施形態では下方向）に整合させる。
【００３１】
また、ホルダー２３０は、吹き出し口１０５（第２開口）から除菌液散布装置１の第１ユニット１０の一部（下部）が突出するように、第１ユニット１０の本体部１２１を支持する。この結果、除菌液散布装置１が備える第２ユニット２０が、パネル１０１の下方に位置するように支持される。
【００３２】
続いて図４を参照して、本実施形態における除菌動作について説明する。除菌動作が実行される際には、図４に示すように、可動風向板１０２は閉じた状態となっている。この結果、固定風向板２０７から流れ出た風が、除菌液散布装置１の第１ユニット１０（本体部１２１の蓋体１２１ａ）が有する開口１２５に流れ込む。したがって、開口１２５から除菌液の液面へ向けて流れる風が発生し、除菌液の霧が、除菌液散布装置１のガイド面２５１によって天井面に導かれる。
【００３３】
以下に、除菌液散布装置１の構成を具体的に説明する。図５は、実施形態１に係る除菌液散布装置１の上面図である。図５に示すように、除菌液散布装置１は、送出口１ａを有する。除菌液散布装置１は、除菌液の霧を送出口１ａから送出して、浴室に除菌液を散布する。
【００３４】
また、図５に示すように、除菌液散布装置１は、第１ユニット１０と、第２ユニット２０とを備える。なお、本実施形態において、送出口１ａは、第１ユニット１０と第２ユニット２０との間に形成された隙間である。
【００３５】
第１ユニット１０は、支持体１２と、供給管１３と、水栓１４と、調整弁１５とを備える。
【００３６】
支持体１２は、第２ユニット２０を支持する。本実施形態において、支持体１２は、本体部１２１と、複数の支持部材１２２とを備える。
【００３７】
本実施形態において、本体部１２１は蓋体１２１ａを備える。好ましくは、蓋体１２１ａは、中央部に開口１２５を有する。蓋体１２１ａの中央部に開口１２５が形成されることにより、除菌液散布装置１を中心として除菌液の霧を除菌液散布装置１から放射状に送出することができる。換言すると、除菌液の霧が特定の方向に偏って送出されることを抑制することができる。したがって、除菌液の霧を特定の方向に偏ることなく送出して、より広い範囲を除菌することができる。
【００３８】
複数の支持部材１２２は、本体部１２１から外側に向けて突出して、第２ユニット２０を支持する。本実施形態において、本体部１２１は平面視矩形状であり、本体部１２１の各辺の中心から支持部材１２２が突出する。なお、送出口１ａは本体部１２１の周囲に形成される。詳しくは、複数の支持部材１２２の間に送出口１ａが形成される。本実施形態において、送出口１ａは平面視Ｌ字状であり、除菌液散布装置１は４つの送出口１ａを有する。４つの送出口１ａにより、本体部１２１の周りの略全周から除菌液の霧を送出することができる。
【００３９】
供給管１３は、第２ユニット２０に水を供給する。例えば、供給管１３は、水道水を供給する。水栓１４は、供給管１３に設けられる。水栓１４は開閉可能である。水栓１４が開状態である場合、供給管１３は水を供給することができる。水栓１４が閉状態である場合、供給管１３による水の供給が遮断される。本実施形態において、水栓１４は蓋体１２１ａに配置される。調整弁１５は、供給管１３に設けられる。調整弁１５については、図６を参照して後述する。
【００４０】
続いて図６を参照して、除菌液散布装置１について更に説明する。図６は、実施形態１に係る除菌液散布装置１の断面図である。詳しくは、図６は、図５のＶＩ−ＶＩ線に沿った断面を示す。
【００４１】
図６に示すように、支持体１２の本体部１２１は、下面が開放された箱形状を有し、蓋体１２１ａに加えて壁部１２１ｂを更に備える。壁部１２１ｂは、蓋体１２１ａの端部から下方に突出する。支持部材１２２は、壁部１２１ｂの下端部に接続する。供給管１３は、支持体１２の蓋体１２１ａから第２ユニット２０の内部まで延びている。
【００４２】
続いて図６を参照して、第２ユニット２０について説明する。第２ユニット２０は、収容部２１と、電極対２２と、超音波発生素子２３と、水位センサー２４と、ガイド部材２５とを備える。なお、図５を参照して説明した送出口１ａは、ガイド部材２５の上端と支持体１２の本体部１２１（壁部１２１ｂ）との間に形成される。
【００４３】
収容部２１は、溶媒を収容する。本実施形態において溶媒は水Ｌである。収容部２１は、上面が開放された箱形状を有する。なお、本実施形態において、供給管１３は、収容部２１の内側まで延びている。
【００４４】
電極対２２は、溶媒（水Ｌ）に浸漬される。本実施形態において、電極対２２は、収容部２１の床面に配置される。電極対２２に電圧が印加されることにより、溶媒（水Ｌ）の中で除菌成分が生成される。この結果、溶媒（水Ｌ）と除菌成分とが混合された除菌液が収容部２１内で生成される。換言すると、収容部２１は除菌液を収容する。
【００４５】
本実施形態において、除菌成分は銀イオンである。具体的には、電極対２２を構成する各電極は、銀単体からなる金属プレートである。あるいは、各電極は、プレート状のチタン金属と、チタン金属の表面の一部又は全部に担持された銀とからなる金属プレートである。例えば、電極対２２を構成する各電極のプレートサイズを５ｍｍ×３０ｍｍ（厚さ０．３ｍｍ）とし、電極間距離を３ｍｍとし、収容部２１にｐＨ７．６、硬度４５ｍｇ／Ｌの水道水を１００ｍｌ収容した場合、電極対２２にＤＣ５Ｖの電圧を印加すると、１５０ｍＡ以上１７０ｍＡ以下の電流が電極間を流れて、陽極から銀イオンが溶出する。
【００４６】
超音波発生素子２３は、除菌液に超音波振動を与えて、除菌液の霧を発生させる。詳しくは、超音波発生素子２３は、収容部２１の床面に配置される。換言すると、超音波発生素子２３は、除菌液に浸漬される。超音波発生素子２３は、液中から液面に向けて超音波を照射する。この結果、音圧により液面に噴水状の液柱が発生し、液柱から霧（除菌液の霧）が発生する。
【００４７】
除菌液散布装置１が除菌液を散布すると、収容部２１に収容されている除菌液の水位（液面の高さ）が変動する。超音波によって霧を発生させる場合、超音波の節が液面に位置するように、液面の位置（水位）を調整する必要がある。
【００４８】
水位センサー２４は、除菌液の液面の位置を検知する。調整弁１５は、開閉可能である。調整弁１５が開状態である場合、供給管１３によって水が供給される。調整弁１５が閉状態である場合、供給管１３による水の供給が遮断される。調整弁１５は、水位センサー２４の検知結果に基づいて開閉して、超音波の節が液面に位置するように、供給管１３による水の供給を制御する。調整弁１５は、例えば電磁弁である。水位センサー２４は、例えばフロートスイッチである。水位センサー２４がフロートスイッチである場合、水位センサー２４は、超音波の節が液面に位置するか否かを検知する。詳しくは、水位センサー２４は、除菌液の水位が所定の水位であるか否かを検知する。所定の水位は、超音波の波長に応じて設定する。
【００４９】
ガイド部材２５は、ガイド面２５１を有する。具体的には、ガイド部材２５の内側面がガイド面２５１を形成する。ガイド面２５１は、送風装置２１０（図２）によって送風された除菌液の霧が、浴室を区画する面のうちの所定の面に沿って流れるように、除菌液の霧を所定の面に導く。詳しくは、本実施形態において、送風装置２１０（図２）から発生した風は、除菌液の液面へ向かう。除菌液の液面へ向かう風により、除菌液の霧がガイド面２５１へ向けて送風される。この結果、送風装置２１０（図２）によって送風された除菌液の霧が、ガイド面２５１によって所定の面に導かれる。
【００５０】
本実施形態において、ガイド面２５１は、浴室の天井面に除菌液の霧を導く。詳しくは、ガイド部材２５は、収容部２１の側壁の上端から外側へ向かって斜め上方に突出している。したがって、ガイド面２５１は、傾斜面であり、収容部２１から離れるほどパネル１０１に近くなるように傾斜している。この結果、除菌液の霧は、ガイド面２５１から斜め上方に送出され、パネル１０１を介して浴室の天井面に到達した後、浴室の天井面に沿って流れる。換言すると、除菌液の霧が送出口１ａから斜め上方に送出される。あるいは、除菌液の霧は、ガイド面２５１（送出口１ａ）から、水平方向から上方向にわたって送出される。なお、除菌液の霧は、ガイド面２５１（送出口１ａ）から水平方向に送出される場合がある。例えば、ガイド面２５１の上端とパネル１０１との間の隙間が狭い場合、除菌液の霧が水平方向に送出される場合がある。
【００５１】
続いて図７を参照して、除菌液の霧の流れについて説明する。図７は、本発明の実施形態１に係る除菌液の霧の流れを示す図である。なお、矢印Ｄ１〜矢印Ｄ３は、除菌液の霧が流れる方向を示す。
【００５２】
図７に示すように、除菌液散布装置１から送出された除菌液の霧は、パネル１０１に沿って流れた後、浴室の天井面ＳＳに沿って流れる。また、天井面ＳＳに沿って浴室の壁面ＷＳまで導かれた除菌液の霧は、壁面ＷＳに沿って下方に流れる。
【００５３】
以上、図１〜図７を参照して、本実施形態に係る浴室環境調整装置１００について説明した。本実施形態によれば、パネル１０１、及び浴室の天井面ＳＳ（所定の面の一例）に沿って除菌液の霧が流れるため、パネル１０１と共に、天井面ＳＳのより広い範囲を除菌することができる。更に、本実施形態によれば、除菌液散布装置１を中心として除菌液の霧を除菌液散布装置１から放射状に送出することができる。よって、天井面ＳＳのより広い範囲を除菌することができる。
【００５４】
また、本実施形態によれば、天井面ＳＳに沿って浴室の壁面ＷＳまで導かれた除菌液の霧が、壁面ＷＳに沿って下方に流れる。したがって、浴室の壁面ＷＳに除菌液を散布することができる。
【００５５】
また、本実施形態によれば、除菌液の霧は、パネル１０１に向けて送出されて、天井面ＳＳ及び壁面ＷＳに沿って流れる。したがって、除菌液の噴霧中に浴室に立ち入った人が除菌液の霧を吸入することを抑制することができる。また、浴室に立ち入った人に除菌液が付着することを抑制することができる。
【００５６】
続いて図８（ａ）、図８（ｂ）、図９及び図１０を参照して、本実施形態に係る除菌液散布装置１について更に説明する。図８（ａ）は、実施形態１に係る第２ユニット２０の上面図である。図８（ｂ）は、実施形態１に係る第２ユニット２０の底面図である。
【００５７】
図８（ａ）及び図８（ｂ）に示すように、第２ユニット２０は、複数の支持孔２０ａを有する。本実施形態では、ガイド部材２５が複数の支持孔２０ａを有する。支持孔２０ａは、ガイド部材２５を貫通する貫通孔である。複数の支持孔２０ａは、図５を参照して説明した複数の支持部材１２２に対応する位置に形成されている。
【００５８】
また、本実施形態において、ガイド面２５１は環状である。ガイド面２５１が環状であることにより、除菌液散布装置１を中心として除菌液の霧を除菌液散布装置１から放射状に送出することができる。換言すると、除菌液の霧が特定の方向に偏って送出されることを抑制することができる。したがって、除菌液の霧を特定の方向に偏ることなく送出して、より広い範囲を除菌することができる。
【００５９】
図９は、実施形態１に係る除菌液散布装置１の断面図である。詳しくは、図９は、図５のＩＸ−ＩＸ線に沿った断面を示す。図９に示すように、第１ユニット１０の支持部材１２２はそれぞれ、対応する支持孔２０ａ（図８（ａ）及び図８（ｂ））に挿入される。支持部材１２２が支持孔２０ａに挿入されることより、ガイド部材２５が支持部材１２２によって支持される。換言すると、第２ユニット２０が支持部材１２２によって支持される。
【００６０】
本実施形態において、支持部材１２２は、ガイド部材２５を着脱可能に支持する。換言すると、支持部材１２２は、第２ユニット２０を着脱可能に支持する。具体的には、ガイド部材２５及び支持部材１２２のうちの少なくとも一方が、弾性を有する材料によって形成される。例えば、ガイド部材２５及び支持部材１２２のうちの少なくとも一方は、アクリル樹脂によって形成され得る。ガイド部材２５及び支持部材１２２のうちの少なくとも一方が弾性を有することにより、支持孔２０ａへの支持部材１２２の挿抜が可能となり、その結果、第２ユニット２０の着脱が可能となる。
【００６１】
図１０は、第２ユニット２０が第１ユニット１０から分離した状態を示す図である。本実施形態において、支持部材１２２は、第２ユニット２０（ガイド部材２５）を着脱可能に支持する。したがって、図１０に示すように、第２ユニット２０を第１ユニット１０から容易に分離することができる。換言すると、第２ユニット２０を浴室環境調整装置１００から容易に取り外すことができる。
【００６２】
図１及び図２を参照して説明したように、送風装置２１０（図２）は、パネル１０１の吸込み口１０３（図１）から浴室の空気を吸い込む。この結果、送風装置２１０（図２）からの送風により、収容部２１に収容されている液体（水Ｌ又は除菌液）中に、外部からの塵や埃が取り込まれやすい。また、水Ｌが水道水である場合、収容部２１に水道水のスケールが溜まる可能性がある。したがって、衛生面から、第２ユニット２０の内側を定期的に洗浄する必要がある。本実施形態によれば、第２ユニット２０を第１ユニット１０から分離することができるため、第２ユニット２０の内側を容易に洗浄することができる。
【００６３】
更に、除菌液の除菌成分として銀イオンを用いる場合、銀イオンが還元凝集してコロイド化することにより、超音波発生素子２３の周りを中心に銀コロイドによる黒ずみが発生するおそれがある。銀コロイドは、超音波発生素子２３の動作不良を引き起こす可能性があるため、収容部２１の内側を定期的に洗浄して、銀コロイドを取り除く必要がある。本実施形態によれば、第２ユニット２０を第１ユニット１０から分離することができるため、収容部２１の内側を容易に洗浄することができる。
【００６４】
また、本実施形態では、電極対２２の陽極から銀イオンが溶出する。このため、除菌液散布装置１の使用期間に応じて陽極（電極）が小さくなる。したがって、電極対２２を定期的に交換する必要がある。本実施形態では、電極対２２は収容部２１に設けられている。また、第２ユニット２０を第１ユニット１０から分離することができる。したがって、電極対２２を容易に交換することができる。
【００６５】
なお、ガイド部材２５及び支持部材１２２が共に、弾性を有する材料によって形成されることが好ましい。ガイド部材２５及び支持部材１２２が共に弾性を有することにより、第２ユニット２０を第１ユニット１０からより容易に分離することができる。また、第１ユニット１０から第２ユニット２０を取り外す際には、供給管１３から水が垂れてこないように、水栓１４を閉じることが好ましい。
【００６６】
続いて図１１を参照して、浴室環境調整装置１００について更に説明する。図１１は、実施形態１に係る浴室環境調整装置１００のブロック図である。図１１に示すように、浴室環境調整装置１００は、操作部３０、及び第１電源装置４１〜第４電源装置４４を更に備える。
【００６７】
操作部３０は、ユーザーの操作を受け付ける。操作部３０は、ユーザーの操作に応じた信号を制御装置２２０に送信する。操作部３０は、例えば、浴室の壁面、又は浴室に隣接する脱衣所の壁面に設置される。
【００６８】
本実施形態において、操作部３０は、暖房ボタン３１、浴室乾燥ボタン３２、ミストサウナボタン３３、除菌ボタン３４、停止ボタン３５、及びディスプレー３６を備える。また、操作部３０は、プロセッサ、半導体メモリー及びインターフェース回路を備える。プロセッサは、例えば、ＣＰＵ又はＭＰＵである。操作部３０は、半導体メモリーとして、例えば、ＲＡＭ及びＲＯＭを備える。プロセッサは、半導体メモリーに記憶された制御プログラム（コンピュータプログラム）に従って、各種の処理を実行する。インターフェース回路は、操作部３０と制御装置２２０との間の通信を実行する。なお、制御装置２２０も、制御装置２２０と操作部３０との間の通信を実行するインターフェース回路を備えている。
【００６９】
暖房ボタン３１は、暖房動作（暖房運転）の開始を指示するボタンである。すなわち、ユーザーが暖房ボタン３１を押下すると、操作部３０は、暖房動作の開始を指示する信号を制御装置２２０に送信する。制御装置２２０が暖房動作の開始を指示する信号を受信すると、浴室環境調整装置１００は、暖房動作（暖房運転）を実行する。
【００７０】
浴室乾燥ボタン３２は、乾燥動作（乾燥運転）の開始を指示するボタンである。すなわち、ユーザーが浴室乾燥ボタン３２を押下すると、操作部３０は、乾燥動作の開始を指示する信号を制御装置２２０に送信する。制御装置２２０が乾燥動作の開始を指示する信号を受信すると、浴室環境調整装置１００は、乾燥動作（乾燥運転）を実行する。
【００７１】
ミストサウナボタン３３は、ミストサウナ動作（ミストサウナ運転）の開始を指示するボタンである。すなわち、ユーザーがミストサウナボタン３３を押下すると、操作部３０は、ミストサウナ動作の開始を指示する信号を制御装置２２０に送信する。制御装置２２０がミストサウナ動作の開始を指示する信号を受信すると、浴室環境調整装置１００は、ミストサウナ動作（ミストサウナ運転）を実行する。
【００７２】
除菌ボタン３４は、除菌動作の開始を指示するボタンである。すなわち、ユーザーが除菌ボタン３４を押下すると、操作部３０は、除菌動作の開始を指示する信号を制御装置２２０に送信する。制御装置２２０が除菌動作の開始を指示する信号を受信すると、除菌液散布装置１は、所定の期間、除菌動作を実行する。
【００７３】
停止ボタン３５は、各種の運転動作の停止を指示するボタンである。例えば暖房運転中にユーザーが停止ボタン３５を押下すると、操作部３０は、暖房動作（暖房運転）の停止を指示する信号を制御装置２２０に送信する。制御装置２２０が暖房動作の停止を指示する信号を受信すると、浴室環境調整装置１００は、暖房動作（暖房運転）を停止する。また、除菌動作中にユーザーが停止ボタン３５を押下すると、操作部３０は、除菌動作の停止を指示する信号を制御装置２２０に送信する。制御装置２２０が除菌動作の停止を指示する信号を受信すると、除菌液散布装置１は、除菌動作を開始してから所定の期間が経過する前であっても、除菌動作を停止する。
【００７４】
ディスプレー３６は、プロセッサによって制御されて、各種の情報を表示する。例えば、ディスプレー３６は、現在実行中の運転動作を示すメッセージを表示する。また例えば、ディスプレー３６は、除菌動作が開始してから経過した時間、又は、除菌動作が終了するまでの残り時間を表示する。
【００７５】
本実施形態において、制御装置２２０は、除菌動作の開始を指示する信号を操作部３０から受信すると、除菌動作が実行されるように、第１電源装置４１〜第４電源装置４４の動作を制御する。
【００７６】
第１電源装置４１は、制御装置２２０によって制御されて、電極対２２を通電させる電圧を生成する。詳しくは、制御装置２２０は、銀イオンの濃度が所定の濃度となるまで電極対２２が通電するように、第１電源装置４１を制御する。
【００７７】
第２電源装置４２は、制御装置２２０によって制御されて、超音波発生素子２３を駆動させる電圧を生成する。この結果、超音波発生素子２３から超音波が発生する。
【００７８】
第３電源装置４３は、制御装置２２０によって制御されて、ファンモータ２１２を駆動させる電圧を生成する。この結果、図２を参照して説明した回転ファン２１１が回転して、風が発生する。なお、制御装置２２０は、除菌動作中において、ファンモータ２１２の回転数を周期的に変化させて、送風装置２１０（図２）の送風量を周期的に変化させることが好ましい。送風装置２１０（図２）の送風量を変化させることで、除菌液の霧の飛散距離を変化させて、パネル１０１、天井面ＳＳ、及び壁面ＷＳに、より均一に除菌液を付着させることができる。
【００７９】
第４電源装置４４は、制御装置２２０によって制御されて、調整弁１５を駆動させる電圧を生成する。詳しくは、制御装置２２０は、水位センサー２４の出力に基づき、除菌液の水位が所定の水位となるように第４電源装置４４を制御する。具体的には、除菌動作によって除菌液の水位が下がると、制御装置２２０は、調整弁１５を開く。この結果、図６を参照して説明したように、収容部２１に供給管１３から水が供給される。また、制御装置２２０は、除菌液の水位が所定の水位まで上昇すると、調整弁１５を閉じる。
【００８０】
続いて図１１及び図１２を参照して、制御装置２２０が実行する処理の流れについて説明する。図１２は、実施形態１に係る制御装置２２０が実行する処理を示すフローチャートである。詳しくは、図１２は、除菌動作時に制御装置２２０が実行する処理の流れを示す。制御装置２２０は、除菌動作の開始を指示する信号を操作部３０から受信すると、図１２に示す処理を開始する。
【００８１】
図１２に示すように、制御装置２２０は、除菌動作の開始を指示する信号を受信すると、まず、銀イオンの濃度が所定の濃度となるように電極対２２を通電させる（ステップＳ１）。
【００８２】
制御装置２２０は、電極対２２を通電させた後、超音波発生素子２３から超音波を発生させる（ステップＳ２）。また、制御装置２２０は、ファンモータ２１２を駆動して、除菌液の霧を送風する風を発生させる（ステップＳ２）。この結果、図５及び図６を参照して説明した送出口１ａから除菌液の霧が送出される。
【００８３】
制御装置２２０は、除菌液の霧の送出を開始すると、水位センサー２４の出力に基づいて、除菌液の水位が所定の水位であるか否かを判定する（ステップＳ３）。
【００８４】
制御装置２２０は、除菌液の水位が所定の水位であると判定すると（ステップＳ３のＹｅｓ）、除菌動作の開始を指示する信号を受信してから所定期間が経過したか否かを判定する（ステップＳ４）。
【００８５】
一方、制御装置２２０は、除菌液の水位が所定の水位でないと判定すると（ステップＳ３のＮｏ）、除菌液の水位が所定の水位となるように調整弁１５を駆動する（ステップＳ５）。換言すると、制御装置２２０は、図６を参照して説明したように、供給管１３から収容部２１に水を供給して、除菌液の水位を所定の水位まで上昇させる。
【００８６】
制御装置２２０は、除菌液の水位が所定の水位まで上昇すると、調整弁１５を閉じた後、銀イオンの濃度が所定の濃度となるように電極対２２を通電させる（ステップＳ６）。制御装置２２０は、電極対２２を通電させた後、除菌動作の開始を指示する信号を受信してから所定期間が経過したか否かを判定する（ステップＳ４）。
【００８７】
制御装置２２０が、所定期間が経過していないと判定すると（ステップＳ４のＮｏ）、処理はステップＳ３の処理に戻る。一方、制御装置２２０が、所定期間が経過していると判定すると（ステップＳ４のＹｅｓ）、図１２に示す処理が終了する。
【００８８】
以上、図１１及び図１２を参照して、制御装置２２０が実行する処理の流れについて説明した。図１２に示す処理によれば、除菌液における銀イオンの濃度を所定の濃度に維持して、除菌液を浴室に散布することができる。
【００８９】
続いて図１１及び図１３を参照して、制御装置２２０が実行する他の処理の流れについて説明する。図１３は、実施形態１に係る制御装置２２０が実行する処理の他例を示すフローチャートである。詳しくは、図１３は、除菌動作時に制御装置２２０が実行する処理の他例を示す。制御装置２２０は、除菌動作の開始を指示する信号を操作部３０から受信すると、図１３に示す処理を開始する。以下、図１２に示す処理と異なる点について説明する。
【００９０】
図１３に示すように、制御装置２２０は、除菌液の水位が所定の水位であると判定すると（ステップＳ３のＹｅｓ）、除菌動作の開始を指示する信号を受信してから第１所定期間が経過したか否かを判定する（ステップＳ１１）。
【００９１】
また、制御装置２２０は、調整弁１５を駆動して除菌液の水位を所定の水位に戻すと（ステップＳ５）、除菌動作の開始を指示する信号を受信してから第２所定期間が経過したか否かを判定する（ステップＳ１２）。第２所定期間は、第１所定期間よりも短い期間である。
【００９２】
制御装置２２０は、第２所定期間が経過していないと判定すると（ステップＳ１２のＮｏ）、銀イオンの濃度が所定の濃度となるように電極対２２を通電させる（ステップＳ６）。一方、制御装置２２０は、第２所定期間が経過していると判定すると（ステップＳ１２のＹｅｓ）、電極対２２を通電させない。したがって、第２所定期間が経過すると、供給管１３から収容部２１に水が供給される度に、銀イオンの濃度が低下する。
【００９３】
本実施形態において、第２所定期間は、第１所定期間が経過する前に、収容部２１に収容されている液体が除菌液から通常水Ｌに戻るように設定される。したがって、第１所定期間が経過する前に、超音波発生素子２３は、超音波振動を水Ｌに与えて水の霧を発生させ、送風装置２１０（図２）は水Ｌの霧を送風する。
【００９４】
以上、図１１及び図１３を参照して、制御装置２２０が実行する他の処理の流れについて説明した。図１３に示す処理によれば、パネル１０１、天井面ＳＳ、及び壁面ＷＳに除菌液を付着させた後に、パネル１０１、天井面ＳＳ、及び壁面ＷＳに水を付着させて、銀イオンによる除菌効果を長時間維持させることができる。詳しくは、除菌液が乾燥すると、銀コロイドが析出する。銀コロイドは、カビや一般細菌に対する除菌効果が小さい。したがって、パネル１０１、天井面ＳＳ、及び壁面ＷＳに付着した銀イオンによる除菌効果を長時間維持するためには、除菌液の乾燥を防ぐ必要がある。これに対し、図１３に示す処理によれば、パネル１０１、天井面ＳＳ、及び壁面ＷＳに付着した除菌液の乾燥を防ぐことができる。よって、パネル１０１、天井面ＳＳ、及び壁面ＷＳに付着した銀イオンによる除菌効果を長時間維持させることができる。
【００９５】
更に、除菌液が乾燥して銀コロイドが析出すると、パネル１０１、天井面ＳＳ、及び壁面ＷＳに銀コロイドによる黒ずみが発生し、外観が悪くなる。これに対し、図１３に示す処理によれば、パネル１０１、天井面ＳＳ、及び壁面ＷＳに付着した除菌液の乾燥を防ぐことができる。よって、黒ずみの発生を抑制することができる。
【００９６】
なお、図１３に示す処理では除菌液の散布に続けて通常水が散布されたが、除菌液の散布が終了してから一定期間経過後に通常水を散布してもよい。この場合、除菌液が乾燥して銀コロイドが析出しても、銀コロイドを溶解させて銀イオンを生成することができる。また、黒ずみが発生しても、銀コロイドを溶解させることで、黒ずみを目立ちにくくすることができる。
【００９７】
続いて図１４（ａ）及び図１４（ｂ）を参照して、電極対２２の通電時間について説明する。図１４（ａ）は、銀イオン濃度の時間変化を示すグラフである。図１４（ｂ）は、銀イオンの除菌効果を示すグラフである。
【００９８】
図１４（ａ）において、縦軸は銀イオン濃度を示し、横軸は経過時間を示す。詳しくは、図１４（ａ）は、収容部２１にｐＨ７．６、硬度４５ｍｇ／Ｌの水道水を１００ｍｌ収容し、電極対２２にＤＣ５Ｖの電圧を印加して測定した銀イオン濃度を示す。なお、電極対２２を構成する各電極のプレートサイズは５ｍｍ×３０ｍｍ（厚さ０．３ｍｍ）とした。また、電極間距離は３ｍｍとした。図１４（ａ）に示すように、銀イオン濃度は、経過時間３分で５００ｐｐｂに達した。また、経過時間５分で、銀イオン濃度は１０００ｐｐｂ以上となった。
【００９９】
図１４（ｂ）において、縦軸は除菌率を示し、横軸は銀イオン濃度を示す。また、図１４（ｂ）において、×印のグラフは黄色ブドウ球菌の除菌率を示し、黒丸のグラフは黒カビの除菌率を示す。図１４（ｂ）に示すように、一般細菌（例えば、黄色ブドウ球菌）は、濃度５０ｐｐｂ以上１００ｐｐｂ以下の銀イオンによって９０％以上除菌することができる。また、黒カビ（クラドスポリウム）は、濃度４００ｐｐｂ以上５００ｐｐｂ以下の銀イオンによって９０％以上除菌することができる。
【０１００】
したがって、電極対２２を３分程度通電させることにより、一般細菌やカビの除菌が可能な銀イオンを溶出させることができる。
【０１０１】
以上、実施形態１について説明した。実施形態１によれば、特定の範囲に偏ることなく、浴室の天井面ＳＳや壁面ＷＳに均一に除菌液を付着させることができる。また、浴室環境調整装置１００のパネル１０１に均一に除菌液を付着させることができる。
【０１０２】
なお、本実施形態において、ガイド面２５１は傾斜面であったが、ガイド面２５１は水平面を含んでもよい。例えば、ガイド面２５１は、パネル１０１又は天井面ＳＳと平行な水平面を含み得る。この場合、除菌液の霧は、ガイド面２５１から水平方向へ送出されて、パネル１０１及び天井面ＳＳに沿って流れる。
【０１０３】
また、本実施形態において、除菌液散布装置１は４つのＬ字状の送出口１ａを有したが、送出口１ａの数や形状は特に限定されない。図１５（ａ）は、実施形態１に係る除菌液散布装置１の変形例を示す図である。
【０１０４】
図１５（ａ）に示すように、除菌液散布装置１は、複数の円形状の送出口１ａを有してもよい。具体的には、図１５（ａ）に示す除菌液散布装置１において、複数の円形状の送出口１ａは、支持体１２の本体部１２１の周りに、周方向に沿って配置される。また、支持体１２は、図５及び図６を参照して説明した複数の支持部材１２２に替えて、ガイド部材２５（第２ユニット２０）を支持する鍔部１２４を備える。複数の円形状の送出口１ａは、鍔部１２４に形成される。なお、図１５（ａ）に示す除菌液散布装置１において、除菌液の霧は、送出口１ａから上方に送出される場合がある。例えば、送出口１ａが鍔部１２４の外縁から遠い場合、除菌液の霧が上方に送出される場合がある。
【０１０５】
また、本実施形態において、ガイド部材２５（第２ユニット２０）の外形は平面視矩形状であったが、ガイド部材２５（第２ユニット２０）の外形形状は特に限定されない。図１５（ｂ）は、実施形態１に係る除菌液散布装置１の他の変形例を示す図である。図１５（ｂ）に示すように、ガイド部材２５（第２ユニット２０）の外形は平面視円形状であってもよい。なお、ガイド部材２５の外形が円形状である場合、ガイド部材２５の内側面と、支持体１２の鍔部１２４の外周面とに、互い対応するねじ溝を形成してもよい。すなわち、第２ユニット２０を回転させて、支持体１２の鍔部１２４にガイド部材２５を支持させてもよい。
【０１０６】
また、本実施形態において、支持体１２の本体部１２１は平面視矩形状であったが、本体部１２１の外形形状は特に限定されない。例えば図１５（ｂ）に示すように、本体部１２１の外形は平面視円形状であってもよい。
【０１０７】
［実施形態２］
続いて図１６を参照して本発明の実施形態２について説明する。但し、実施形態１と異なる事項を説明し、実施形態１と同じ事項についての説明は割愛する。実施形態２は、電極対２２の位置が実施形態１と異なる。
【０１０８】
図１６は、実施形態２に係る除菌液散布装置１の断面図である。図１６に示すように、第２ユニット２０は、収容部２１の内側面に接続する支持部材２６を備える。支持部材２６は、電極対２２を支持する。詳しくは、支持部材２６は、超音波発生素子２３の直上に電極対２２が位置するように、電極対２２を支持する。超音波発生素子２３の直上に電極対２２が位置することにより、電極対２２を構成する２つの電極間の除菌液に超音波振動を与えることができる。
【０１０９】
以上、実施形態２について説明した。実施形態２によれば、２つの電極間の除菌液に超音波振動を与えることができる。したがって、２つの電極間の除菌液を揺動させて、銀コロイドが電極に付着することを抑制できる。
【０１１０】
［実施形態３］
続いて図１７及び図１８を参照して本発明の実施形態３について説明する。但し、実施形態１及び２と異なる事項を説明し、実施形態１及び２と同じ事項についての説明は割愛する。実施形態３は、除菌成分が実施形態１及び２と異なる。具体的には、実施形態３に係る除菌成分は、次亜塩素酸ナトリウムである。
【０１１１】
図１７は、実施形態３に係る除菌液散布装置１の正面図である。図１７に示すように、実施形態３において、支持体１２の本体部１２１は、食塩の投入口１２３を有する。具体的には、投入口１２３は、本体部１２１の壁部１２１ｂを貫通する貫通孔である。ユーザーが投入口１２３から食塩を投入すると、食塩は、収容部２１に落下する。なお、投入する食塩は、投入口１２３から投入しやすい形状を有する塊物であることが好ましい。例えば、食塩は、岩塩や食塩ペレットであることが好ましい。
【０１１２】
図１８は、実施形態３に係る除菌液散布装置１の断面図である。本実施形態において、電極対２２は、２つの白金電極を含む。図１７を参照して説明したように、ユーザーが投入口１２３から食塩を投入すると、食塩は収容部２１に落下して、水Ｌ中において溶ける。食塩が水Ｌ中に溶存（溶解）している状態で電極対２２を通電すると、塩素系の除菌成分が生成される。詳しくは、電極対２２を通電して電気分解を行うことにより、次亜塩素酸ナトリウム水が生成される。
【０１１３】
続いて図１１、図１７及び図１８を参照して、実施形態３に係る除菌液散布装置１の動作について説明する。ユーザーは、除菌動作の開始前に投入口１２３から所定の量の食塩を投入する。その後、ユーザーは、操作部３０の除菌ボタン３４を押下して、除菌液散布装置１に除菌動作を実行させる。
【０１１４】
制御装置２２０は、除菌動作の開始を指示する信号を操作部３０から受信すると、調整弁１５を駆動して、収容部２１内に所定量の原水Ｌを注水し、食塩を溶解させる。なお、食塩の添加量は、０．１重量％以上５重量％以下が望ましい。
【０１１５】
制御装置２２０は、収容部２１内に所定量の原水Ｌを注水すると、電極対２２を通電させる。この結果、収容部２１内において電気分解が行われる。例えば、電極対２２を構成する各電極に、直径１ｍｍ、長さ３０ｍｍの白金コートチタン電極を用い、電極間距離を３ｍｍとし、１ｇの食塩を収容部２１内に投入するとともに１００ｍｌの原水Ｌを収容部２１内に注水した場合、換言すると、食塩の添加量が１重量％である場合、電極対２２にＤＣ５Ｖの電圧を印加すると、１５０ｍＡ以上１７０ｍＡ以下の電流が電極間を流れて電気分解が行われ、次亜塩素酸の濃度が増加し、１分程度の電気分解で約１０ｐｐｍの次亜塩素酸ナトリウムを生成することができる。
【０１１６】
詳しくは、電極対２２の陽極において水素イオン（Ｈ+）が生成される。また、酸素ガスや塩素ガスが発生する（式（１）及び式（２））。
Ｈ2Ｏ→（１／２）Ｏ2↑＋２Ｈ+＋２ｅ-・・・式（１）
２Ｃｌ→Ｃｌ2＋２ｅ-・・・式（２）
【０１１７】
塩素ガスは水に容易に溶け、式（３）及び式（４）に示すように、水中において次亜塩素酸及び次亜塩素酸イオンに変化する。
【数１】
2019116596.tif 000003
【数２】
2019116596.tif 000004
【０１１８】
したがって、電気分解を行うことにより、次亜塩素酸ナトリウムの濃度を増加させた除菌水を生成することができる。なお、次亜塩素酸ナトリウムの濃度は、有効塩素濃度５ｐｐｍ以上５０ｐｐｍ未満であることが望ましい。有効塩素濃度が５ｐｐｍ以上であることが望ましいのは、カビ等の有胞子菌を遊離状態で除菌できる最低濃度が有効塩素濃度５ｐｐｍであるためである。また、有効塩素濃度が５０ｐｐｍ未満であることが望ましいのは、有効塩素濃度が５０ｐｐｍ以上になると、除菌液の霧から塩素臭を感じやすくなるためである。
【０１１９】
制御装置２２０は、電極対２２を通電させた後、実施形態１において説明したように、超音波発生素子２３から超音波を発生させる。また、制御装置２２０は、ファンモータ２１２を駆動して、除菌液の霧を送風する風を発生させる。この結果、送出口１ａから除菌液の霧が送出される。
【０１２０】
以上、実施形態３について説明した。本実施形態によれば、次亜塩素酸水を超音波素子によって霧化し、送風装置２１０（図２）からの送風により、次亜塩素酸水の霧を、ガイド面２５１を介して送出口１ａから送出することができる。したがって、実施形態１と同様に、特定の範囲に偏ることなく、パネル１０１、天井面ＳＳ、及び壁面ＷＳに均一に除菌液を付着させることができる。
【０１２１】
なお、本実施形態では、投入口１２３から食塩を投入する形態について説明したが、実施形態１において説明した送出口１ａを介して食塩を投入してもよい。
【０１２２】
以上、本発明の実施形態について図面を参照しながら説明した。本実施形態によれば、浴室環境調整装置１００の送風装置２１０（図２）を利用して、除菌液の霧を送風することができる。換言すると、送風装置２１０において発生させた風を除菌液の霧の送風に用いるとともに除菌液の霧の送風以外の用途にも切り替えることができる。なお、本発明は、上記の実施形態に限られるものではなく、その要旨を逸脱しない範囲で種々の態様において実施することが可能である。
【０１２３】
例えば、本発明による実施形態において、浴室環境調整装置１００はミストサウナ付きの浴室暖房乾燥装置であったが、浴室環境調整装置１００は、浴室暖房乾燥装置、浴室暖房装置、又は浴室乾燥装置であってもよい。
【０１２４】
また、本発明による実施形態では、浴室環境調整装置１００が浴室の天井部に設置されたが、浴室環境調整装置１００は、浴室の壁面部に設置されてもよい。例えば、浴室環境調整装置１００は、壁面部の上部に設置され得る。
【０１２５】
また、本発明による実施形態では、ガイド面２５１が浴室の天井面ＳＳへ除菌液の霧を導いたが、ガイド面２５１は、浴室の壁面ＷＳに除菌液の霧を導いてもよい。
【０１２６】
また、本発明による実施形態では、水位センサー２４としてフロートスイッチを例示したが、水位センサー２４は、除菌液の水位を検知できる限り、特に限定されない。例えば、水位センサー２４として、測距センサー、又は重量センサーが用いられてもよい。
【０１２７】
また、本発明による実施形態では、電極対２２は第２ユニット２０に設けられたが、例えば図１９に示すように、電極対２２は第１ユニット１０に設けられてもよい。図１９は、他の実施形態に係る除菌液散布装置１の断面図である。図１９に示す除菌液散布装置１において、第１ユニット１０は、電極対２２を支持する支持部材１６を備える。支持部材１６は、第１ユニット１０から突出して、電極対２２を水Ｌ又は除菌液の中に浸漬させる。
【０１２８】
また、本発明による実施形態では、ガイド面２５１が平坦な傾斜面であったが、ガイド面２５１は、例えば図２０に示すように曲面を含んでもよい。図２０は、更なる他の実施形態に係る除菌液散布装置１の断面図である。
【０１２９】
図２０に示す除菌液散布装置１において、収容部２１は、内側に膨らむ側壁を備え、この側壁がガイド部材２５として機能する。換言すると、収容部２１の側壁の内側面が、ガイド面２５１として機能する。なお、図２０に示す除菌液散布装置１において、支持部材１２２は、収容部２１を着脱可能に支持する。
【０１３０】
また、本発明による実施形態では、ガイド面２５１が傾斜面であったが、ガイド面２５１は鉛直面を含んでもよい。例えば、浴室環境調整装置１００が浴室の壁面部に設置される場合、ガイド面２５１は浴室の壁面ＷＳと平行な鉛直面を含み得る。この場合、除菌液の霧は、ガイド面２５１から上方向へ送出されて、浴室の壁面ＷＳに沿って流れる。
【０１３１】
また、図４、図６、図９、図１６、図１８〜図２０を参照して上述した説明では、除菌液散布装置１が除菌液の霧の流れる方向を導くガイド面２５１を備えていたが、除菌液散布装置１はガイド面２５１を備えなくてもよい。例えば、収容部２１が、鉛直方向に立設し且つ上端がパネル１０１と対向する側壁を備え、除菌液の霧が、収容部２１の上端とパネル１０１との間の隙間から送出されてもよい。
【０１３２】
また、図４、図６、図９、図１６、図１８〜図２０を参照して上述した説明では、ガイド部材２５又は収容部２１の内側面にガイド面２５１が形成されたが、例えば図２１に示すように、収容部２１の外側面にガイド面２５１が形成されてもよい。図２１に示す除菌液散布装置１は、収容部２１と、電極対２２と、超音波発生素子２３と、水位センサー２４とを備える。例えば除菌液散布装置１は、パネル１０１のうち可動風向板１０２の以外の箇所で支持される。
【０１３３】
収容部２１は、溶媒を収容する。本実施形態において溶媒は水Ｌである。収容部２１は、上面が開放された箱形状を有する。電極対２２は、溶媒（水Ｌ）に浸漬される。本実施形態において、電極対２２は、収容部２１の床面に配置される。電極対２２に電圧が印加されることにより、溶媒（水Ｌ）の中で除菌成分が生成される。この結果、溶媒（水Ｌ）と除菌成分とが混合された除菌液が収容部２１内で生成される。換言すると、収容部２１は除菌液を収容する。
【０１３４】
図４、図６、図９、図１６、図１８〜図２０に示した除菌液散布装置１とは異なり、本実施形態の除菌液散布装置１において、ガイド面２５１は収容部２１の外側面に形成されている。収容部２１に収容されている除菌液の液面に送風された風は、除菌液に近づいた後、パネル１０１の内側に戻り、収容部２１の外側面（ガイド面２５１）に沿って流れて、吹き出し口１０５からパネル１０１の外部に広がる。
【０１３５】
また、図４、図６、図９、図１６、図１８〜図２１を参照して上述した説明では、除菌液散布装置１は超音波発生素子２３を備えていたが、本発明はこれに限定されない。除菌液散布装置１は超音波発生素子２３を備えなくてもよい。
【０１３６】
図２２（ａ）は、浴室環境調整装置１００の風路を示す図である。除菌液散布装置１は平板部２１Ａを備える。例えば平板部２１Ａは、パネル１０１のうち可動風向板１０２の以外の箇所で支持される。
【０１３７】
供給管１３の先端にはスプレーノズル１３Ａが設けられている。スプレーノズル１３Ａは、平板部２１Ａの上に配置される。また、供給管１３には、調整弁１５が設けられるとともに、調整弁１５の上流側に銀イオン発生部１５Ａが設けられている。銀イオン発生部１５Ａは、供給管１３を流れる水Ｌ中に銀イオンを発生させる。この結果、銀イオン発生部１５Ａにおいて除菌液が生成され、供給管１３からスプレーノズル１３Ａに除菌液が供給される。スプレーノズル１３Ａは、供給管１３から供給された除菌液を霧状にして噴出する。
【０１３８】
図２２（ｂ）は、除菌液散布装置１の上面図である。図２２（ｂ）に示すように、複数のスプレーノズル１３Ａが、等間隔に複数の方向に向くように配置されることが好ましい。複数のスプレーノズル１３Ａが、等間隔に複数の方向に向くように配置されることにより、除菌液散布装置１を中心として除菌液の霧を除菌液散布装置１から放射状に送出することができる。換言すると、除菌液の霧が特定の方向に偏って送出されることを抑制することができる。したがって、除菌液の霧を特定の方向に偏ることなく送出して、より広い範囲を除菌することができる。
【０１３９】
本願は、更に以下の付記を開示する。なお、以下の付記は、本発明を限定するものではない。
【０１４０】
［付記１］
風を発生させる風発生装置と、
前記風を送出する第１開口及び第２開口を有する外装部材と、
前記第１開口に対して開閉自在であり、閉状態の際に前記第１開口を覆う開閉部材と、
除菌液の霧を発生させる霧発生装置と
を備え、
前記霧発生装置は、前記第２開口に対応して配置され、
前記開閉部材が閉状態の際に前記第２開口へ向かう前記風によって、前記除菌液の霧を送風する、浴室環境調整装置。
【０１４１】
［付記２］
前記霧発生装置は、前記除菌液の霧を、水平方向、又は斜め上方向に送るガイド面を備え、
前記ガイド面は、前記外装部材の外側に配置され、
前記ガイド面と前記外装部材との間に、前記除菌液の霧が流れ出る隙間が形成される、付記１に記載の浴室環境調整装置。
【０１４２】
［付記３］
前記霧発生装置は、
前記ガイド面を形成するガイド部材と、
前記ガイド部材を着脱可能に支持する支持部と
を備える、付記２に記載の浴室環境調整装置。
【０１４３】
［付記４］
前記霧発生装置は、
溶媒を収容する収容部と、
前記溶媒に浸漬された電極対と
を備え、
前記除菌液は、前記溶媒と、前記溶媒に混合された除菌成分とを含み、
前記電極対に電圧が印加されることにより、前記溶媒内に前記除菌成分が生成される、付記１から付記３のいずれか１つに記載の浴室環境調整装置。
【０１４４】
［付記５］
前記霧発生装置は、前記除菌液に超音波振動を与えて前記除菌液の霧を発生させる超音波発生素子を備える、付記４に記載の浴室環境調整装置。
【０１４５】
［付記６］
前記電極対は、２つの電極を含み、
前記超音波発生素子は、前記２つの電極間の前記除菌液に前記超音波振動を与える、付記５に記載の浴室環境調整装置。
【０１４６】
［付記７］
前記超音波発生素子は、超音波振動を水に与えて、前記水の霧を発生させ、
前記開閉部材が閉状態の際に前記第２開口へ向かう前記風によって、前記水の霧が送風される、付記５又は付記６に記載の浴室環境調整装置。
【０１４７】
［付記８］
前記風発生装置が発生させた前記風は、前記開閉部材が閉状態の際に、前記除菌液の液面に向かう、付記４から付記７のいずれか１つに記載の浴室環境調整装置。
【０１４８】
［付記９］
前記除菌液は、銀イオン又は次亜塩素酸ナトリウムを含む、付記１から付記８のいずれか１つに記載の浴室環境調整装置。
【０１４９】
［付記１０］
前記霧発生装置は、
溶媒を収容する収容部と、
前記溶媒に浸漬された電極対と、
前記収容部を着脱可能に支持する支持部と
を備え、
前記除菌液は、前記溶媒と、前記溶媒に混合された除菌成分とを含み、
前記電極対に電圧が印加されることにより、前記溶媒内に前記除菌成分が生成される、付記１又は付記２に記載の浴室環境調整装置。
【０１５０】
［付記１１］
前記送風装置の送風量を変化させる制御装置を備える、付記１から付記１０のいずれか１つに記載の浴室環境調整装置。
【０１５１】
［付記１２］
前記ガイド面は、傾斜面を含む、付記２に記載の浴室環境調整装置。
【０１５２】
［付記１３］
前記ガイド面は、環状である、付記２又は付記１２に記載の浴室環境調整装置。
【０１５３】
［付記１４］
前記ガイド面は、曲面を含む、付記２、付記１２、又は付記１３に記載の浴室環境調整装置。
【産業上の利用可能性】
【０１５４】
本発明は、浴室を除菌する装置に有用である。
【符号の説明】
【０１５５】
１        除菌液散布装置
２１      収容部
２２      電極対
２３      超音波発生素子
４０      制御装置
１００    浴室環境調整装置
２１０    送風装置
２２０    制御装置
２５１    ガイド面
Ｓ        天井部
ＳＳ      天井面
ＷＳ      壁面
【図１】
2019116596.tif 000005
【図２】
2019116596.tif 000006
【図３】
2019116596.tif 000007
【図４】
2019116596.tif 000008
【図５】
2019116596.tif 000009
【図６】
2019116596.tif 000010
【図７】
2019116596.tif 000011
【図８】
2019116596.tif 000012
【図９】
2019116596.tif 000013
【図１０】
2019116596.tif 000014
【図１１】
2019116596.tif 000015
【図１２】
2019116596.tif 000016
【図１３】
2019116596.tif 000017
【図１４】
2019116596.tif 000018
【図１５】
2019116596.tif 000019
【図１６】
2019116596.tif 000020
【図１７】
2019116596.tif 000021
【図１８】
2019116596.tif 000022
【図１９】
2019116596.tif 000023
【図２０】
2019116596.tif 000024
【図２１】
2019116596.tif 000025
【図２２】
2019116596.tif 000026
【国際調査報告】
2019116596.tif 000027
2019116596.tif 000028